(57)【要約】【課題】落雷による火災に有効な雷誘導装置を提供すること。。【解決手段】山々の頂上や斜面などに設置される雷誘導装置であって、装置設置地盤に保水手段を配備するとともに同保水手段を貫通するようにして導電性の杭が打ち込まれ、同杭を介して雷誘導板を複数個配備し、装置設置地盤の前記杭より外周囲を取り囲むようにして通電阻止材が設けられ、同通電阻止材のさらに外周囲は防護柵で包囲されていることを特徴とする。【選択図】図３
2010045013.tif 000002
【特許請求の範囲】
【請求項１】
山々の頂上や斜面などに設置される雷誘導装置であって、装置設置地盤に保水手段を配備するとともに同保水手段を貫通するようにして導電性の杭が打ち込まれ、同杭を介して雷誘導板を複数個配備し、装置設置地盤の前記杭より外周囲を取り囲むようにして通電阻止材が設けられ、同通電阻止材のさらに外周囲は防護柵で包囲されていることを特徴とする雷誘導装置。
【発明の詳細な説明】
【技術分野】
【０００１】  本発明は、雷誘導装置に関する。
【背景技術】
【０００２】  世界文化遺産である日本の寺が落雷による火災で焼失した事例があり、その原因として、同寺の屋根が雷を引き寄せやすい銅板葺きであったことが挙げられている。
【発明の開示】
【発明が解決しようとする課題】
【０００３】  ところが上記落雷による火災には有効な対策が採られていないのが実情である。
上記に鑑み、本発明は、そうした問題を解決するための雷誘導装置を提供しようとするものである。【０００４】  上記課題を解決するため、請求項１に記載の発明は、山々の頂上や斜面などに設置される雷誘導装置であって、装置設置地盤に保水手段を配備するとともに同保水手段を貫通するようにして導電性の杭が打ち込まれ、同杭を介して雷誘導板を複数個配備し、装置設置地盤の前記杭より外周囲を取り囲むようにして通電阻止材が設けられ、同通電阻止材のさらに外周囲は防護柵で包囲されていることを特徴とする。
【発明の効果】
【０００５】  本発明によれば、山々の頂上や斜面などに設置される雷誘導装置であって、装置設置地盤に保水手段を配備するとともに同保水手段を貫通するようにして導電性の杭が打ち込まれ、同杭を介して雷誘導板を複数個配備し、装置設置地盤の前記杭より外周囲を取り囲むようにして通電阻止材が設けられ、同通電阻止材のさらに外周囲は防護柵で包囲されていることを特徴とするので、落雷による火災に有効な雷誘導装置を提供することができるようになる。
【発明を実施するための最良の形態】
【０００６】  以下、図示する実施形態により本発明を詳細に説明する。
図１ないし図４は一提案例を示すものである。世界文化遺産である日本の寺が落雷による火災で焼失した事例があり、その原因として、同寺の屋根が雷を引き寄せやすい銅板葺きであったことが挙げられている。【０００７】  そのことに鑑み、図１ないし図４の例は、神社仏閣などはもとより一般民家・他施設などの全ての建造物や屋外の人々等に対する落雷を防止するようにしたものである。
図１において７０は山々で、それぞれ裾野などには民家７１…が立ち並ぶとともに山々７０の１つには寺の境内が設けられ寺などの重要建造物７２が設置されている。【０００８】  従来はこの建造物７２に直接落雷Ｘ（破線表示）があって焼失することになっていたが、この例では、建造物７２の設けられている個所よりも高い山頂や斜面…に雷誘導装置Ａ…を設けたものである。【０００９】  各雷誘導装置Ａは、図２ないし図４に詳しく示すように、山頂の地表を木々や草などを伐採して一定広さの装置設置地盤７４とし、その地盤７４の中央に凹み７５を設けてその中に杭本体７６とホルダー７７を備えた導電質の取付杭７８を複数本打ち込んでホルダー７７を介して複数枚の銅板である雷誘導板７９…を配列してなる。
尚、取付杭７８を凹み７５内の地盤に打ち込む際に、図４のように、保水容器８０を通して打ち込むようにする。保水容器８０は、常に地盤を通電しやすい状態に維持する役目をする。【００１０】  同装置は、雷誘導板７９…に落雷を誘導して取付杭７８を通じて地盤内にアースするようにしてあるが、雨が同時に降って雷が周囲に拡大するおそれもある。そのため、凹み７５の周囲に相当する地表には通電を阻止するブロックやモルタルなどの通電阻止材８１を敷設しておく。
また、通電があってもその一帯に人が居なければ助かることならびに平時における装置へのいたずらなどを防止するため、外周囲には、施錠可能な開閉扉８２を備えた防護柵８３を設ける。【００１１】  従って、落雷は図１にＹで示すように落ちやすい雷誘導板７９…を配備した雷誘導装置Ａに落ち、重要建造物７２や民家７１…などに落ちないものである。
尚、雷誘導板７９は、一様な面状であったが図４の破線のような多孔面状あるいは枠状さらには波形のものでもよい。同雷誘導板７９は、水平あるいは斜めに設置してより落雷しやすいようにしてもよい。【００１２】  また、図４の左欄に示すように、下端を打ち込みあるいは埋め込み可能とする銅製で棒状（パイプも可能）の雷誘導板８５としてアンテナ８６を張ったり、導電質の杭８７付きとした銅メッシュ状の雷誘導板８８としてもよい。杭８７は非導電質としその外周に雨が付かないようにその上方に雨よけを設けてもよい。
さらに、同雷誘導板７９は、図３の仮想線のように充分に高いものにすれば誘導効果が高くなる。【００１３】  また、図５に示すように、複数本のポール９０…により銅メッシュ状の雷誘導板９１を張設してもよい。これに誘導アンテナ９２を立設してもよい。ポール９０は導電質であるが、非導電質にしてもよい。
さらに、落雷の際には地表を雷が流れることがあるが、それを防止するため、図５の右欄に示すように、装置の外周囲全体に非導電質の内溝部材９４を枠状に構築し、その内溝に雨が入らないようにするとともに溝内に発泡スチロールやゴムなどの非導電部材９５を配備して外方へ雷が伝わらないようにしてもよい。【００１４】  図６は付加的な提案例を示す。
七夕祭（七夕）は日本・中国・台湾などにおける節供、節日の１つで旧暦の７月７日の夜のことであるが、明治以降は新暦の７月７日や月遅れの８月７日に分けて行われる慣わしとなっている。【００１５】  ところで、こうした七夕祭は各地で大掛かりに催されるが、その際、竹が立て掛けられてそれに吹流しや短冊などが飾り付けられるのであるが、その竹は、根元で切ったものが使用されてきた。
従って、こうした根元を切った竹が使用されると、祭の最中で既に笹が枯れてしまって祭が今一つ盛り上がらないという不都合があった。【００１６】  そのことを考慮して、図６の左側欄に示すような植え込み式で容易に枯れない七夕演出装置を考えついたものである。
即ち、９８は七夕祭で商店街筋などに添って設置される植え込み鉢で、底板に木や竹などによる割板を組立てて中に土を入れたものでなり、その鉢９８内に竹９９を植え込んで適宜にＰＥＴボトルなどによる補水手段１００により竹笹１０１が枯れることなく永く生育するようにされている。尚、補水手段１００は、鉢９８の上縁に引っ掛けて常備しておくことのできるフックつき抱持具１０２を備えたものにしてよい。１０３は短冊である。【００１７】  前記実施形態では竹笹１０１に短冊１０３を飾り付けていたが、その他に、図６の右欄に示すようなセット名を「繁昌笹」（標示版１０５）と称するものにしてもよい。この「繁盛笹」は、竹９９の枝部分に戎神社などで購入できるような福笹１０４を結び付けたもので、この福笹１０４には、竹笹に縁起物ａ・ｂ・ｃ・ｄ・ｅなどをぶら下げたり結び付けたりしたものである。この福笹１０４を１品あるいは複品結び付けて飾り付けるものとする。勿論、縁起物ａないしｅを個別に竹９９の枝にぶら下げたり結び付けてより一層賑やかなものにしてもよい。
標示板１０５はスポーツ団体や選挙当選用の「必勝笹」（優勝笹や当確笹などでもよい）や大学や高校などの「合格笹」と記してもよい。
このように「繁昌笹」としたり「必勝笹」・「合格笹」として飾り付けるようにすれば上記七夕期だけのごく短い期間でなく１年中あるいは一定の長い期間違和感なくこのセットを置いておくことができる。
「必勝笹」の標示には「タイガース」など他のスポーツ団体名を付すことができる。
「合格祈願笹」については、たとえば、「○○大学（あるいは高校）合格祈願笹」として○○の部分を具体的に希望学校名を書き込めるようにしてもよい。単に「合格笹」としてもよい。このようにスポーツ向けの短冊を飾り付けるようにするとほぼ１年間こうしたセットを置いておいても違和感などないものとなる。
また、絵馬を飾り付けるようにしてもよい。
前記実施形態では、竹９９について説明したが、この竹・笹は人工的なものでもよく、また竹に代えて榊・クリスマス用もみの樹・一位の樹などでもよい。
鉢９８は、図７に示すように、キャスター１０５付きの台座１０６上に載せて移設可能にしてもよい。この台座１０６からは逆Ｕ形をした連結枠１０７を立ち上げて同枠１０７の上端に設けた吊り受け具１０８を持ち掛けることで移設できるようにしたり、同吊り受け具１０８に連結可能な吊り環１０９に持上げバー１１０を差し込んで移設可能にしてもよい。【００１８】  鉢９８は中の土や竹９９などでかなりの重さになることから上記のような提案をしたが、図７の右欄に示すように、軽量な小鉢１１２とし安定化のためその底部に丸あるいは角板状、さらに十字などの底板１１３を取り付けてキャスター１１４により移設可能に設置するようにしてもよい。小鉢１１２は樹脂製としてもよい。
また、図８に示すように、鉢９８から竹９９の基部外周を取り巻くようなラセン環１１６を配備してこれに蔦１１７が延びて生長するようにしてもよい。
さらに、図９に示すように、杭１１８を一端に備え他端に受け台１１９を備えた長椅子１２０を複数組用意し、杭１１８を鉢９８内の土中に打ち込んで固定しながら受け台１１９を設置面上に設置するようにして長椅子１２０を連設するようにし、そこに座って休憩できるようにしてもよい。１２１は連結具で長椅子１２０相互を繋ぎ安定化させるためのものである。【００１９】  図１０ないし図１２は付加的な提案例を示し、そのうち図１０の例は、「俳句」の文字を針金や鉄筋などの線材を用いて連続曲げ成形して左欄のように１つのつなぎ文字体１３０として表現するとともに、この文字体１３０を、移動ローラー１３１付きで矩形に形成した飾りフレーム１３２の背部の横架材１３３…に図示しない止着具により定着させてなる。【００２０】  この文字体１３０には、右欄にも示すように、一般的なイルミネーション（フレキシブルチューブ型電飾品を含む）１３４を添うように取り付けることもあり、また、フレーム上部１３５内を介して照明ライト１３６で照らすようにすることもある。さらに、この文字体１３０には趣味ある人々から俳句を書き記した短冊１３７…を吊り下げるようにすることもできる。【００２１】  図１１はつなぎ文字体１３８を「短歌」として表したものであり、また、図２４はつなぎ文字体１３９を「川柳」として表したものである。【００２２】  図１３（装置の縦断正面図）ないし図１６は、旗やデザインフラッグなどで代表される標示部１４０を左右振り出し式とした装置についての付加的な提案例を示すもので、架台１４１上に縦長型矩形立体ケースとしたケース本体１４２を備えて地盤に設置可能とするとともに、架台１４１内には、上部のソーラーパネル（ソーラーフィルムあるいはシートも可能）１４３用の制御ボックス１４４と、直動型電動シリンダやクランク付き減速モーターなどの駆動源１４５を備える。【００２３】  ケース本体１４２には、その左右両サイドに出没口１４６を開けてあるとともに、同本体１４２の幅間中央を通るように昇降駆動ロッド１４７がガイドローラー１４８に垂直に案内されるように設けられている。図１３では同ローラー１４７が最も上昇した状態を表している。【００２４】  装置の一部を図１４に取り出して示してあり、１５０は回転支持軸で、ケース本体１４２の上下４点において前後を向くように固定配備されている。同支持軸１５０の周りには、バネ１５１により常に下向きに引かれ固定ストッパ１５２に当たって停まるようにした基部アーム１５３が回転自在に支持されている。このアーム１５３の先端にはアームストッパ１５４が突設されているとともにその手前上側にはヒンジ１５５が設けられている。【００２５】  ヒンジ１５５には標識１４０を備えた先アーム１５６が回転自在に取り付けられており、同先アーム１５６は、図１４，１５のように基部アーム１５３に対して３０度前後の角度をもって立ち上がった状態でその基部１５７が基部アーム１５３に当たって止まった状態と図１６のようにアームストッパ１５４に当たって基部アーム１５３に平行な状態との間で回転自在になっている。したがって、基部１５７のヒンジ１５５からの長さを図示よりも長くすれば前記立ち上がり角度は小さくなり逆に短く���れば角度は大きくすることができる。そのことから、基部１５７を長短に調節自在に構成して先アーム１５６の立ち上がり角度を調節自在にしたり複数の標識１４０…の高さ調節を自在にすることもできる。【００２６】  前記昇降駆動ロッド１４７と先アーム１５６との間には、回転ヒンジ１５８をそれぞれに介してリンク１５９で結合されている。こうした機構が図１３のように左右一対ずつ上下複数段に配備されて全体が構成されている。尚、１６０はスピーカーである。【００２７】  図１４は標示部１４０…の全てがケース本体１４２内に収納された状態を示し、昇降駆動ロッド１４７は最大に持ち上げられてリンク１５９により先アーム１５６が引き上げられる一方基部アーム１５３はバネ１５１で引き下げられた状態にある。その状態から図１３の駆動源１４５を駆動して昇降駆動ロッド１４７を矢印のように引き下げると、先アーム１５６は下がってゆくが、基部アーム１５３はバネ１５１で常に引き下げられた状態にあるので、基部アーム１５３に対して先アーム１５６は少し立ち上がった状態を維持しながら図１５のように全体が倒れてゆき出没口１４６から外部に出てゆく。基部アーム１５３が固定ストッパ１５２に当たるとそこでバネ１５１による引き下げ力は効かなくなるので、それ以降はリンク１５９により先アーム１５６のみが倒れてゆくことになる。先アーム１５６はアームストッパ１５４に当たって基部アーム１５３と平行になったところで止まる。【００２８】  駆動源１４５が逆方向に駆動されると、ロッド１４７は上昇運動をし、これによりリンク１５９を介して図１５のように先アーム１５６の方が先に持上げられる。そののち、先アーム１５６の基部１５７が基部アーム１５３に当たることで基部アーム１５３までもバネ１５１に抗しながら持上げられるようになり、そのまま図１４のように出没口１４６を通じてケース本体１４２内に全体が収納されることになる。【００２９】  尚、リンク１５９はリンクチェーンやプレートチェーン、さらにロープ（ワイヤを含む）などの紐類で置き換えてもよい。
バネ１５１はウエイトとしてもよく、バネとウエイトとを併用することもできる。ここにウエイトとは基部アーム１５３それ自体を重くするものも含まれる。
前記ロッド１４７もリンクチェーンなどとしてもよい。
また、前記駆動源１４５は、図１５の途中の状態で停止可能に制御することもできる。
【図面の簡単な説明】
【００３０】
【図１】本発明の一提案例を示す斜視図。
【図２】雷誘導装置を示す平面図。
【図３】雷誘導装置の縦断面図。
【図４】取付杭を示す斜視図。
【図５】他の実施形態を示す斜視図。
【図６】他の提案例を示す正面図。
【図７】他の提案例を示す正面図。
【図８】他の提案例を示す正面図。
【図９】他の提案例を示す正面図。
【図１０】付加的な提案例を示す正面図。
【図１１】他の提案例を示す文字体の正面図。
【図１２】他の提案例を示す文字体の正面図。
【図１３】他の提案例を示す縦断正面図。
【図１４】図１３の要部拡大図。
【図１５】作動説明図。
【図１６】作動説明図。
【符号の説明】
【００３１】  Ａ…雷誘導装置
７４…装置設置地盤  ７８…杭  ７９…雷誘導板  ８０…保水手段  ８１…通電阻止材  ８３…防護柵。
【図１】
2010045013.tif 000003
【図２】
2010045013.tif 000004
【図３】
2010045013.tif 000005
【図４】
2010045013.tif 000006
【図５】
2010045013.tif 000007
【図６】
2010045013.tif 000008
【図７】
2010045013.tif 000009
【図８】
2010045013.tif 000010
【図９】
2010045013.tif 000011
【図１０】
2010045013.tif 000012
【図１１】
2010045013.tif 000013
【図１２】
2010045013.tif 000014
【図１３】
2010045013.tif 000015
【図１４】
2010045013.tif 000016
【図１５】
2010045013.tif 000017
【図１６】
2010045013.tif 000018